【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
第１の部位と第２の部位とを含む撮影部位をスキャンすることにより得られたデータに基づいて、前記第１の部位と前記第２の部位との境界を検出する境界検出装置であって、
前記第１の部位を横切るスライスと前記第２の部位を横切るスライスを含む複数のスライスの各々の画像データを作成する画像データ作成手段と、
前記第１の部位および前記第２の部位が第１の論理値を有し、背景領域が第２の論理値を有するように、前記複数のスライスの各々の画像データを２値化することにより、第１の２値画像データを求める第１の２値化手段と、
前記第１の部位が前記第１の論理値を有し、前記第２の部位および前記背景領域が前記第２の論理値を有するように、前記複数のスライスの各々の画像データを２値化することにより、第２の２値画像データを求める第２の２値化手段と、
前記第１の２値画像データの特徴量と前記第２の２値画像データの特徴量とを求め、前記第１の２値画像データの特徴量と前記第２の２値画像データの特徴量とに基づいて、前記第１の部位と前記第２の部位との境界を検出する、境界検出装置。
【請求項２】
前記第１の２値画像データの特徴量は、前記第１の２値画像データにおける前記第１の論理値の面積であり、
前記第２の２値画像データの特徴量は、前記第２の２値画像データにおける前記第１の論理値の面積である、請求項１に記載の境界検出装置。
【請求項３】
前記検出手段は、
前記第１の２値画像データにおける前記第１の論理値の面積と、前記第２の２値画像データにおける前記第１の論理値の面積とを求め、これらの面積の比に基づいて、前記境界を検出する、請求項２に記載の境界検出装置。
【請求項４】
第１の部位と第２の部位とを含む撮影部位をスキャンすることにより得られたデータに基づいて、前記第１の部位と前記第２の部位との境界を検出する境界検出装置であって、
前記第１の部位を横切るスライスと前記第２の部位を横切るスライスを含む複数のスライスの各々の画像データを作成する画像データ作成手段と、
前記第１の部位および前記第２の部位が第１の論理値を有し、背景領域が第２の論理値を有するように、前記複数のスライスの各々の画像データを２値化することにより、第１の２値画像データを求める第１の２値化手段と、
前記第１の部位が前記第１の論理値を有し、前記第２の部位および前記背景領域が前記第２の論理値を有するように、前記複数のスライスの各々の画像データを２値化することにより、第２の２値画像データを求める第２の２値化手段と、
前記第１の２値画像データから所定の部位を削除する第１の削除処理と、前記第２の２値画像データから前記所定の部位を削除する第２の削除処理とを実行し、前記第１の削除処理後の第１の２値画像データの特徴量と、前記第２の削除処理後の第２の２値画像データの特徴量とを求め、前記第１の削除処理後の第１の２値画像データの特徴量と、前記第２の削除処理後の第２の２値画像データの特徴量とに基づいて、前記第１の部位と前記第２の部位との境界を検出する、境界検出装置。
【請求項５】
前記第１の削除処理後の第１の２値画像データの特徴量は、前記第１の削除処理後の第１の２値画像データにおける前記第１の論理値の面積であり、
前記第２の削除処理後の第２の２値画像データの特徴量は、前記第２の削除処理後の第２の２値画像データにおける前記第１の論理値の面積である、請求項４に記載の境界検出装置。
【請求項６】
前記検出手段は、
前記第１の削除処理後の第１の２値画像データにおける前記第１の論理値の面積と、前記第２の削除処理後の第２の２値画像データにおける前記第１の論理値の面積とを求め、これらの面積の比に基づいて、前記境界を検出する、請求項５に記載の境界検出装置。
【請求項７】
前記第１の削除処理は複数回実行される、請求項４〜６のうちのいずれか一項に記載の境界検出装置。
【請求項８】
前記第１の削除処理は、縮小処理、領域拡張処理、および拡大処理を含む、請求項７に記載の境界検出装置。
【請求項９】
前記第２の削除処理は複数回実行される、請求項４〜８のうちのいずれか一項に記載の境界検出装置。
【請求項１０】
前記第２の削除処理は、縮小処理、領域拡張処理、および拡大処理を含む、請求項９に記載の境界検出装置。
【請求項１１】
前記第１の２値化手段は、領域拡張法を用いた２値化であり、
前記第２の２値化手段は、閾値処理を用いた２値化である、請求項１〜１０のうちのいずれか一項に記載の境界検出装置。
【請求項１２】
前記第１の部位は肝臓を含み、前記第２の部位は肺を含む、請求項１〜１１のうちのいずれか一項に記載の境界検出装置。
【請求項１３】
請求項１〜１２のうちのいずれか一項に記載の境界検出装置を有する医用装置。
【請求項１４】
第１の部位と第２の部位とを含む撮影部位をスキャンすることにより得られたデータに基づいて、前記第１の部位と前記第２の部位との境界を検出する境界検出装置のプログラムであって、
前記第１の部位を横切るスライスと前記第２の部位を横切るスライスを含む複数のスライスの各々の画像データを作成する画像データ作成処理と、
前記第１の部位および前記第２の部位が第１の論理値を有し、背景領域が第２の論理値を有するように、前記複数のスライスの各々の画像データを２値化することにより、第１の２値画像データを求める第１の２値化処理と、
前記第１の部位が前記第１の論理値を有し、前記第２の部位および前記背景領域が前記第２の論理値を有するように、前記複数のスライスの各々の画像データを２値化することにより、第２の２値画像データを求める第２の２値化処理と、
前記第１の２値画像データの特徴量と前記第２の２値画像データの特徴量とを求め、前記第１の２値画像データの特徴量と前記第２の２値画像データの特徴量とに基づいて、前記第１の部位と前記第２の部位との境界を検出する検出処理と、
を計算機に実行させるためのプログラム。
【請求項１５】
第１の部位と第２の部位とを含む撮影部位をスキャンすることにより得られたデータに基づいて、前記第１の部位と前記第２の部位との境界を検出する境界検出装置のプログラムであって、
前記第１の部位を横切るスライスと前記第２の部位を横切るスライスを含む複数のスライスの各々の画像データを作成する画像データ作成処理と、
前記第１の部位および前記第２の部位が第１の論理値を有し、背景領域が第２の論理値を有するように、前記複数のスライスの各々の画像データを２値化することにより、第１の２値画像データを求める第１の２値化処理と、
前記第１の部位が前記第１の論理値を有し、前記第２の部位および前記背景領域が前記第２の論理値を有するように、前記複数のスライスの各々の画像データを２値化することにより、第２の２値画像データを求める第２の２値化処理と、
前記第１の２値画像データから所定の部位を削除する第１の削除処理と、前記第２の２値画像データから前記所定の部位を削除する第２の削除処理とを実行し、前記第１の削除処理後の第１の２値画像データの特徴量と、前記第２の削除処理後の第２の２値画像データの特徴量とを求め、前記第１の削除処理後の第１の２値画像データの特徴量と、前記第２の削除処理後の第２の２値画像データの特徴量とに基づいて、前記第１の部位と前記第２の部位との境界を検出する検出処理と、
を計算機に実行させるためのプログラム。